(57)【要約】【課題】仕切板の強度及び、収容物への傷付きを防止することができる収容箱を提供する。【解決手段】収容箱は、側板１１と底板１２とで収容空間８を形成してなる外箱１と、収容空間８に着脱可能に保持されて収容空間８を仕切る１又は複数の仕切部材２１，２２と、を有する。仕切部材２１，２２は、板状の芯材３と、芯材３を被覆する可撓性の被覆材５とを有する。仕切部材２１，２２は、芯材３を被覆材５で被覆してなる仕切本体部２５と、仕切本体部２５の端部に連結用の被覆材５から構成された可撓部２６とを有する。【選択図】図１
2014234210.tif 000002
【特許請求の範囲】
【請求項１】
側板と底板とで収容空間を形成してなる外箱と、前記収容空間に着脱可能に保持されて前記収容空間の内部を仕切る１又は複数の仕切部材と、を有する収容箱であって、
前記仕切部材は、板状の芯材と、前記芯材を被覆する可撓性の被覆材とを有し、
前記仕切部材は、前記芯材を前記被覆材で被覆してなる仕切本体部と、前記仕切本体部の少なくとも一方の端部に前記被覆材から構成された連結用の可撓部とを有することを特徴とする収容箱。
【請求項２】
前記被覆材は、織物、編物、不織布、皮革、ゴムシートの中から選ばれる１種以上からなる請求項１に記載の収容箱。
【請求項３】
複数の前記仕切部材の連結用の前記可撓部同士が連結されて枠体を構成している請求項１または２に記載の収容箱。
【請求項４】
複数の前記仕切部材のうちの少なくとも１の前記仕切部材の連結用の前記可撓部は、他の前記仕切部材の前記仕切本体部に固定されている請求項１〜３のいずれか１項に記載の収容箱。
【発明の詳細な説明】
【技術分野】
【０００１】
本発明は、仕切りを有する収容箱に関する。
【背景技術】
【０００２】
自動車、オートバイ、精密機械などの工業品は膨大な数の部品から構成されている。組み立て工場では、各種部品を部品用の収容箱に入れて管理することが多い。部品用の収容箱としては、従来、例えば、外箱と、外箱の内部を複数の区画に仕切る仕切板とからなる。外箱は、紙製ダンボール、プラスチックダンボール、合成樹脂板、合成樹脂の一体成形品からなる。仕切板は、紙製ダンボール、プラスチックダンボール、合成樹脂板等からなる。外箱の内部を仕切板で仕切って複数の区画スペースを形成することで、同種又は異種の複数の部品を仕分けて収納できる。
【０００３】
収容箱の仕切板には、仕切板と外箱を接着・ボルト止め等の手段により一体的に固定したものがある。その場合、仕切板は、十分な強度は有しているものの、仕切板を自在に脱着して区画を変更する等をして、異なる用途に転用することは困難であった。これを解決する手段として、仕切板を、他の仕切板や外箱にはめ込むことが行われていた。
【０００４】
また、部品が、収容箱や仕切板に接触して、部品に傷が生じることがあった。このため、仕切板の表面及び端部、外箱角部などに対して、織物、編物類、又は不織布、合成皮革など、柔軟性及びクッション製を有するシート状素材を、のり、接着剤、粘着剤又は両面テープを用いて貼り付けることにより、傷防止効果を向上せしめたものがある。また、仕切板そのものの材質を合成樹脂の発泡材としたものがある。合成樹脂の発泡材は、軽量で、柔軟でクッション性を有する。また、仕切板の内部に中空部を形成してクッション性を付与することも提案されている（特許文献１参照）。
【先行技術文献】
【特許文献】
【０００５】
【特許文献１】特開２００５−２０００４１号公報
【発明の概要】
【発明が解決しようとする課題】
【０００６】
しかしながら、外箱と仕切板を接着やボルト止めをした場合には、仕切板の強度は確保できるものの、異なる寸法やサイズへの変更、転用が不可能か又は十分にはできない。また、空箱運搬時に嵩張り、運搬効率を悪くしていた。
【０００７】
仕切板を他の仕切板や外箱にはめ込むはめ込み、差し込み式の場合には、仕切板に切り込み部分を設ける必要があり、長期使用をした場合には、はめ込み部分の折れ、破損、亀裂が発生するおそれがある。そのため、はめ込み、差し込み式は、接着やボルト止めで固定する方式と比べて、強度面では不十分であった。また、破損する度に修理の必要があり、コスト高となっていた。
【０００８】
仕切板の材質を柔軟な合成樹脂の発泡材とした場合には、収容する部品の傷を防止することはできるが、はめ込み、差込み式同様、強度面で十分とは言い難い。
【０００９】
本発明はかかる事情に鑑みてなされたものであり、仕切板の強度を保持しつつ、収容物への傷付きを防止することができる収容箱を提供することを課題とする。
【課題を解決するための手段】
【００１０】
（１）本発明の収容箱は、側板と底板とで収容空間を形成してなる外箱と、前記収容空間に着脱可能に保持されて前記収容空間の内部を仕切る１又は複数の仕切部材と、を有する収容箱であって、前記仕切部材は、板状の芯材と、前記芯材を被覆する可撓性の被覆材とを有し、前記仕切部材は、前記芯材を前記被覆材で被覆してなる仕切本体部と、前記仕切本体部の少なくとも一方の端部に前記被覆材から構成された連結用の可撓部とを有することを特徴とする。
【００１１】
本発明に係る収容箱は、外箱と仕切部材とを有する。仕切部材は、外箱の収容空間を複数の収容スペースに区画する。仕切部材は、芯材と、芯材を被覆する可撓性をもつ被覆材との２部材で構成されている。仕切部材は、芯材で強度を発揮させ、芯材を被覆する可撓性の被覆材で収容物への傷付きを防止する性能を持たせた。このように、仕切部材を２部材構成とすることにより、強度及び傷付き防止の両性能を最大限発揮させることができる。
【００１２】
また、仕切部材は、芯材を被覆材で被覆する仕切本体部と、仕切本体部の少なくとも一方の端部に被覆材から構成された連結用の可撓部とを有する。連結用の可撓部は、他の仕切部材や外箱などの他の部材と連結するための部分である。可撓部が他の部材と連結されて仕切部材が収容空間に配置されるときには、可撓部は屈曲して仕切部材全体が立体的な形状をなす。
【００１３】
柔軟な連結用の可撓部を他の部材に連結することで、従来接着、ボルトなどによる固定方法では実現困難であった仕切部材の連結部のフレキシブル性を可能とし、収容物収納時に仕切部材に加わる荷重負荷を逃がすことで、強度及び耐久性に優れ、収容物の収納が容易となった。
【００１４】
仕切部材は、収容空間に着脱可能に保持されている。収容空間から仕切部材を取り去った時に、柔軟性をもつ可撓部が平面状に延びたり、また可撓部を折り畳んで仕切本体部に重ねたりすることができる。このため、仕切部材をコンパクトに収納することができる。
【００１５】
また、仕切部材を収容空間から取り去り、ほかの仕切部材で収容空間を仕切ることで、様々な形状の収容物の収納に柔軟に対応することができる。はめ込み、差し込み式と同程度の収納の自由度を有し、はめ込み、差し込み方式と比べて、強度及び耐久性に優れる。
【００１６】
仕切部材を収容空間から取り去ることで、外箱を他の用途に利用することができる。また、外箱の収容空間を、他の仕切部材で仕切ることにより、収容空間を様々な小空間に区画することができる。このため、本発明の収容箱は、多くの用途に用いることができる。
【００１７】
仕切部材を芯材と被覆材の２部構成とすることにより、のり、両面テープ、溶着などによる接着、貼り付け方式では接着性の相性が困難であった素材の組み合わせが可能となった。収容物の寸法、形状、質量、材質、数量に有った芯材とこれを包み込む被覆材とを任意に選定することが可能である。
【００１８】
（２）前記被覆材は、織物、編物、不織布、皮革、ゴムシートの中から選ばれる１種以上からなることが好ましい。
【００１９】
これらの素材は、可撓性をもち、また、クッション性もある。このため、このような被覆材で芯材を被覆することで、収容物が仕切部材に当たったときの収容物の損傷を効果的に抑制できる。また、多種多様な風合い、触感、色をもつ材質が多く、収容箱の外観を良くすることが可能である。
【００２０】
（３）複数の前記仕切部材の連結用の前記可撓部同士が連結されて枠体を構成していることが好ましい。
【００２１】
複数の仕切部材で枠体を構成することにより、複数の仕切部材を一体的に取り扱うことができる。複数の仕切部材を枠体として一体的に収容空間に入れて、収容空間を複数に区画したり、収容空間から一体的に取り去ったりすることができる。
【００２２】
複数の仕切部材の可撓部同士が連結されている。このため、収容空間から枠体を取り去った時に、枠体を折り畳むことができる。ゆえに、枠体を積み重ねることができ、枠体の保管が容易である。また、運搬の作業工数を削減できる。
【００２３】
（４）複数の前記仕切部材のうちの少なくとも１の前記仕切部材の連結用の前記可撓部は、他の前記仕切部材の前記仕切本体部に固定されていることが好ましい。
【００２４】
複数の仕切部材を組み合わせて収容空間を複数のスペースに区画することができる。この場合にも、１の仕切部材の連結用の可撓部は、他の仕切部材の仕切本体部に固定されている。
【００２５】
また、仕切部材を収容空間から取り去ったときに、複数の仕切部材を平面状に折り畳むことができる。従来のはめ込み式、差し込み式に要していた保管の手間を削減することができる。また、仕切部材の運搬が容易となり、運搬作業工数を削減できる。さらに、仕切部材と外箱とを別個に運搬できる。外箱を別の用途に利用しやすくなる。
【発明の効果】
【００２６】
本発明の収容箱によれば、外箱の収容空間を仕切る仕切部材が、収容空間に着脱可能に保持されている。また、仕切部材は、可撓性をもつ被覆材で芯材を被覆した仕切本体部と、仕切本体部の少なくとも一方の端部に被覆材から構成された連結用の可撓部とを有する。このため、仕切部材の強度を保持しつつ、収容物への傷付きを防止することができる。
【図面の簡単な説明】
【００２７】
【図１】実施例１の収容箱の斜視図である。
【図２】実施例１の収容箱の分解斜視図である。
【図３】実施例１の枠体及び仕切部材の斜視図である。
【図４】実施例１において、仕切部材の仕切本体部の断面図である。
【図５】実施例１において、芯材の斜視図である。
【図６】実施例１において、被覆材の斜視図である。
【図７】実施例１において、芯材を被覆材で被覆した状態を示す説明図である。
【図８】実施例１において、仕切部材の可撓部の拡大斜視図である。
【図９】実施例１において、第１の仕切部材を、他の第１の仕切部材または第２の仕切部材に固定する方法を示すための仕切部材の部分斜視図である。
【図１０】実施例１において、第２の仕切部材同士の連結方法を示すための仕切部材の部分斜視図である。
【図１１】実施例１において、折り畳んだ状態の枠体及び仕切部材の斜視図である。
【図１２】実施例２において、第１の仕切部材を第２の仕切部材に固定するための方法を示す仕切部材の部分斜視図である。
【図１３】実施例３の収容箱の斜視図である。
【発明を実施するための形態】
【００２８】
本実施形態に係る収容箱は、外箱と仕切部材とを有する。外箱は、側板と底板とをもち、側板と底板で囲まれた収容空間をもつ。外箱は、例えば、金属製、紙製ダンボール、プラスチックダンボール、合成樹脂板、合成樹脂の一体成形品などからなる。
【００２９】
収容箱は、１又は複数の仕切部材を有してもよい。複数の仕切部材は、互いに同じ向きに収容空間に配置してもよいし、互いに異なった方向、例えば、互いに垂直方向を向くように収容空間に配置してもよい。
【００３０】
仕切部材は、板状の芯材と、芯材を被覆する被覆材とから構成されている。芯材は、被覆材よりも剛性が高い。芯材は、紙製ダンボール、金属板、プラスチックダンボール、合成樹脂板などを用いるとよい。中でも、強度、耐久性、軽量性、取り回し性の観点から、プラスチックダンボール、合成樹脂板が望ましい。合成樹脂板の材質としては、例えば、ポリスチレン、ポリエチレン、ポリプロピレン、ポリカーボネート、ポリ塩化ビニル、アクリル樹脂、ＡＢＳ（アクリロニトリル−ブタジエン−スチレン共重合体）樹脂などが好ましい。
【００３１】
芯材の厚みは、強度の観点から、０．５〜１０ｍｍが好ましく、その中でも１〜５ｍｍが望ましい。
【００３２】
被覆材は、織物、編物、不織布、皮革、ゴムシートの中から選ばれる１種以上からなることが好ましい。これらの材質は、可撓性及びクッション性に冨み、収容物が接触したときに収容物を傷つけない。また、縫製作業上も好ましい。中でも、織物又は編物が望ましい。織物または編物の材質としては、ポリアミド、ポリエステル、ポリプロピレン、アクリル樹脂、綿などが好ましく、織物又は編物を構成する糸の種類としては、フィラメント糸、紡績糸、混紡糸のいずれであってもよい。
【００３３】
被覆材は、傷付き防止性の観点から、０．５ｍｍ〜３ｍｍ程度の厚みを有することが好ましく、その中でも表面が起毛したスエード調が特に好ましい。
【００３４】
被覆材は、芯材を内蔵した状態で、被覆材の端部同士を縫製、又は接着、溶着することで一体の仕切部材としている。特に縫製による一体化が好ましい。
【００３５】
また、被覆材の端部以外についても、芯材の周囲を縫製、又は接着、溶着することで一体の仕切部材としてもよい。これにより、被覆材内部の芯材の動きが制限され、芯材と被覆材がより一体化される。仕切部材の強度及び耐久性が向上する。特に縫製による一体化が好ましい。縫製の種類は、強度が強くほつれにくい本縫いが好ましい。
【００３６】
被覆材は、内蔵する芯材の寸法に合わせて、予め袋状に縫製、又は接着、溶着しておくとよい。被覆材で形成された袋の内部に芯材を挿入すれば、仕切部材を容易に効率よく作製することができる。芯材と被覆材との間の隙間を最小限に抑えることができ、より一層強固な仕切部材とすることができる。
【００３７】
仕切本体及び可撓部末端を一度折り返し、その折り返し部分を縫製代として、本縫い又は末端を折り返さずにかがり縫いすることで、被覆材のほつれ発生を抑え、収容物への糸屑などの付着を防止することができる。
【００３８】
仕切部材は、芯材と被覆材との２部材構成とし、縫製等により両素材を一体化とすることで、従来、のりや溶着などによる接着、貼り付け式で接着性の相性の都合上困難であった素材の組み合わせが可能である。収容物の寸法、形状、重量、材質、数量に見合った芯材と被覆材を選定することができる。
【００３９】
仕切部材は、仕切本体部と、仕切本体部の少なくとも一方の端部に設けた連結用の可撓部とを有する。仕切本体部は、芯材を被覆材で被覆してなり、仕切部材の形状を保持する部分である。仕切本体部は、収容空間を複数に区画して形成されたスペースを囲む側面部を構成する。仕切本体部の表面は、可撓性を有する被覆材で被覆されているため、収容物が当たったときに収容物に損傷を与えない。
【００４０】
連結用の可撓部は、被覆材から構成されている。可撓部は、可撓性を有し、屈曲など変形可能な部分である。連結用の可撓部は、他の部材に連結するための部分である。可撓部が他の部材に連結されて仕切部材が収容空間に配置されているときには、可撓部は屈曲して仕切部材全体が立体的な形状をなす。
【００４１】
可撓部は、他の仕切部材の可撓部や仕切本体部に固定してもよいし、または、外箱に対面させて外箱に固定してもよい。可撓部は、外箱や他の仕切部材などの他の部材から取り外した時には、平面状に延びて、仕切部材全体を平面状にたたむことができる。
【００４２】
連結用の可撓部の幅は、０．５ｃｍ〜１０ｃｍが好ましく、強度及び実用性を考慮すると、１ｃｍ〜５ｃｍ程度が良い。可撓部が大き過ぎると、仕切部材が倒れたり移動したりして、仕切部材本来の機能が低下するおそれがある。可撓部が過小の場合には、仕切部材の保持強度が低くなり、仕切部材の取付け及び取り外しの作業性が低下するため、実用性に欠けるおそれがある。
【００４３】
収容箱の収容空間には、複数の仕切部材が配設されており、複数の仕切部材の可撓部同士が連結されて枠体を構成しているとよい。枠体は、外箱とほぼ同じ形状であって外箱の内面に対面させてもよい。この場合には、枠体は、外箱に安定に保持される。
【００４４】
または、枠体は、外箱よりも小さく、外箱とは異なる形状であってもよい。枠体の内部だけでなく、枠体と外箱との間にスペースが形成される。
【００４５】
複数の仕切部材のうち少なくとも１の仕切部材の可撓部は、他の仕切部材の仕切本体部に着脱可能に固定される固定部材を取り付けており、他の仕切部材の仕切本体部は、固定部材を着脱可能に固定する相手部材を取り付けていることがよい。
【００４６】
例えば、固定部材は、面ファスナーの雄部材及び雌部材の一方からなり、相手部材は、面ファスナーの雄部材及び雌部材の他方からなる。または、固定部材は、スナップボタンの雄部材及び雌部材の一方からなり、相手部材は、スナップボタンの雄部材及び雌部材の他方からなる場合でもよい。面ファスナーやスナップボタンは、繰り返し着脱することができる。
【実施例】
【００４７】
（実施例１）
本実施例１の収容箱は、工業部品を収容するための部品箱である。図１に示すように、部品箱１０は、外箱１と、第１、第２の仕切部材２１、２２とを有する。外箱１は、側板１１と底板１２とをもち、側板１１と底板１２とは収容空間８を囲んでいる。外箱１は、プラスチックダンボールで形成されている。
【００４８】
図２、図３に示すように、外箱１の収容空間８には、第１の仕切部材２１と第２の仕切部材２２とが配設されている。第１の仕切部材２１は、収容空間８を複数のスペースに区画している。第１の仕切部材２１は、収容空間８に所定間隔を隔てて縦方向及び横方向に複数並設されている。
【００４９】
第２の仕切部材２２は、第１の仕切部材２１を保持する枠体４を構成している。枠体４は、底無しの四角形状の枠体であって、外箱１の側板１１と略同形状をなしている。
【００５０】
図４に示すように、第１、第２の仕切部材２１，２２は、いずれも、芯材３と、芯材３を被覆する被覆材５とから構成されている。
【００５１】
図５に示すように、芯材３は、ポリプロピレンの発泡体からなり、厚みは５ｍｍの板状体である。図６、図７に示すように、被覆材５は、厚み０．５ｍｍの織物からなる。織物は、合成樹脂製のフィラメント糸で編成されている。第１、第２の仕切部材２１，２２は、芯材３を内蔵して被覆材５を袋状に縫製した仕切本体部２５と、仕切本体部２５の両側の端部に被覆材５から構成された連結用の可撓部２６とを有する。可撓部２６の幅は、３ｃｍであり、厚みは２ｍｍである。可撓部２６は、織物のみからなるため、可撓性及びクッション性に富む。
【００５２】
第１の仕切部材２１を作製するにあたっては、まず、図６に示すように、被覆材５の相対する辺同士を重ね合わせて半分に折る。重ね合わせた辺近傍を内側に折り返す。折り返し部分を縫いしろとして、図６の一点鎖線に沿って本縫いして袋状にする。袋状の被覆材５の中に芯材３を収容する。芯材３を被覆材５の中央部分に位置するように位置あわせする。
【００５３】
図７、図８に示すように、芯材３の両側には、被覆材５のみが残る。被覆材５を仕切本体部２５の両側に所定幅分だけ折り畳み、幅方向の両端及び中央の３箇所を図８の一点鎖線に沿ってミシン縫いする。これにより、仕切本体部２５の両端部に可撓部２６が形成される。可撓部２６は、仕切本体部２５の片面側のみに形成させてもよい。図９に示すように、可撓部２６の片面に面ファスナーの雄部材６１を縫い付ける。また、仕切本体部２５には、面ファスナーの雌部材６２を縫い付ける。
【００５４】
第２の仕切部材２２は、上記の第１の仕切部材２１と同様に形成する。図１０に示すように、４つの第２の仕切部材２２を枠形状に配置し、隣り合う仕切部材２２の可撓部２６同士縫い合わせる。これにより、四角形状の枠体４が形成される。第２の仕切部材２２の可撓部２６は、枠体４のコーナー部４１を構成し、仕切本体部２５は枠体４の側板部４２を構成する。枠体４を構成する第２の仕切部材２２の内側面に、面ファスナーの雌部材６２を縫い付ける。仕切本体部２５の外面には、固定補助用の面ファスナーの雄部材６３を縫い付ける。また、外箱１の内面には、雌部材６４を接着する（図２）。
【００５５】
図３、図９に示すように、第１の仕切部材２１の可撓部２６に取り付けた面ファスナーの雄部材６１を、他の第１の仕切部材２１の仕切本体部２５に取り付けた面ファスナーの雌部材６２に固定する。また、第１の仕切部材２１の可撓部２６に取り付けた面ファスナーの雄部材６１を、枠体４を構成する第２の仕切部材２２の仕切本体部２５に取り付けた面ファスナーの雌部材６２に固定する。これにより、複数の第１、第２の仕切部材２１，２２が一体化される。なお、本実施例では、第１の仕切部材２１のすべてに面ファスナーを取り付けたが、第１の仕切部材２１同士、または第１の仕切部材２１と第２の仕切部材２２とを直接縫い付けてもよい。
【００５６】
図２に示すように、一体化された仕切部材２１，２２を、外箱１の収容空間８に配置する。このとき、固定補助用の面ファスナーの雄部材６３が雌部材６４に固定されて、仕切部材２１，２２が外箱１に安定に保持される。
【００５７】
図１，図２に示すように、本例の部品箱１０は、外箱１と仕切部材２１，２２と枠体４とを有する。仕切部材２１，２２は、外箱１の収容空間８を複数の小スペースに区画する。仕切部材２１，２２は、芯材３と、芯材３を被覆する可撓性をもつ被覆材５との２部材で構成されている。仕切部材２１，２２は、芯材３で強度を発揮させ、芯材３を被覆する可撓性の被覆材５で部品への傷付きを防止する性能を持たせた。このように、仕切部材２１，２２を２部材構成とすることにより、強度及び傷付き防止の両性能を最大限発揮させることができる。
【００５８】
また、仕切部材２１，２２は、収容空間８に着脱可能に保持されている。収容空間８に保持された仕切部材２１，２２は、その可撓部２６を屈曲させて全体的に立体形状をなしている。
【００５９】
図１１に示すように、収容空間８から仕切部材２１，２２を取り去った時に、柔軟性をもつ可撓部２６が平面状に延びたり、また可撓部２６を折り畳んで仕切本体部２５に重ねたりすることができる。このため、仕切部材２１，２２をコンパクトに収納することができる。従来のはめ込み式、差し込み式に要していた保管の手間を削減することができる。また、仕切部材２１，２２の運搬が容易となり、運搬作業工数を削減できる。さらに、仕切部材２１，２２と外箱１とを別個に運搬できる。外箱１を別の用途に利用しやすくなる。
【００６０】
また、仕切部材２１，２２を収容空間８から取り去り、ほかの仕切部材で収容空間を仕切ることで、様々な形状の部品の収納に柔軟に対応することができる。はめ込み、差し込み式と同程度の収納の自由度を有し、はめ込み、差し込み方式と比べて、強度及び耐久性に優れる。
【００６１】
仕切部材２１，２２を収容空間８から取り去ることで、外箱１を他の用途に利用することができる。また、外箱１の収容空間８を、他の仕切部材で仕切ることにより、収容空間８を様々な小空間に区画することができる。このため、本発明の部品箱１０は、多くの用途に用いることができる。
【００６２】
仕切部材２１，２２を芯材３と被覆材５の２部構成とすることにより、のり、両面テープ、溶着などによる接着、貼り付け方式では接着性の相性が困難であった素材の組み合わせが可能となった。部品の寸法、形状、質量、材質、数量に合った芯材３とこれを包み込む被覆材５とを任意に選定することが可能である。
【００６３】
被覆材５は織物からなる。織物は、可撓性をもち、また、クッション性もある。このため、このような被覆材５で芯材３を被覆することで、部品が仕切部材２１，２２に当たったときの部品の損傷を効果的に抑制できる。また、多種多様な風合い、触感、色をもつ材質が多く、収容箱１の外観を良くすることが可能である。
【００６４】
複数の第２の仕切部材２２で枠体４を構成することにより、複数の仕切部材２２を一体的に取り扱うことができる。複数の仕切部材２２を枠体４として一体的に収容空間８に入れて、収容空間８を複数に区画したり、収容空間８から一体的に取り去ったりすることができる。
【００６５】
枠体４は、複数の第２の仕切部材２２の可撓部２６同士を連結することで形成されている。このため、収容空間８から枠体４を取り去った時に、枠体４を折り畳むことができる。ゆえに、枠体４を積み重ねることができ、枠体４の保管が容易である。また、運搬の作業工数を削減できる。
【００６６】
複数の第１の仕切部材２１を組み合わせて収容空間８を複数のスペースに区画することができる。この場合にも、複数の第１の仕切部材２１のうち１の仕切部材２１の可撓部２６は、他の仕切部材２１の仕切本体部２５に固定されているため、強度及び耐久性に優れる。
【００６７】
（実施例２）
本実施例２の部品箱においては、図１２に示すように、第１の仕切部材２１同士、及び第１の仕切部材と第２の仕切部材２２とが、スナップボタンにより固定されている。第１の仕切部材２１同士の一方、及び第１の仕切部材２１と第２の仕切部材２２の一方には、スナップボタンの雄部材７４を取り付けている。第１の仕切部材２１同士の他方、及び第１の仕切部材２１と第２の仕切部材２２の他方には、スナップボタンの雌部材７３を取り付けている。仕切部材２１，２２は一体的に外箱１に収容されている（図１参照）。
【００６８】
雌部材７３は、可撓部２６を挟んで反対側に配置した押さえ具（図略）を押し込むことで可撓部２６に固定されている。雄部材７４は、後方側にピン７４ａが伸びている。ピン７４ａを仕切部材２２の仕切本体部２５に貫通させて、側板１１の反対側に配置した押さえ具７４ｂで止めている。いずれも仕切部材２１，２２を使用するときには、スナップボタンの雄部材７４と雌部材７３とを嵌め合わせる。仕切部材２１が不要であるときには、雄部材７４から雌部材７３を取り外し、仕切部材２１を仕切部材２２から分離する。
【００６９】
（実施例３）
本実施例３の部品箱１０は、図１３に示すように、第２の仕切部材２２で構成される枠体４の形状が、外箱１と異なる形状である。枠体４と外箱１との間には、スペースが区画されている。外箱１の側板１１の内周面には、織物からなる被覆材５で被覆されている。枠体４と外箱１との間に形成されたスペースは、織物からなる被覆材５で囲まれている。このため、仕切部材２２で囲まれたスペースと同様に、部品が側面にあたって傷つけることを抑制できる。
【００７０】
実施例１，２、３では、第１の仕切部材２１を、枠体４を構成する第２の仕切部材２２に固定した状態で外箱１の中に収容しているが、第１の仕切部材２１は面ファスナーやスナップボタンにて着脱可能に、被覆材５で覆われた外箱１の側板１１に固定してもよい。
【符号の説明】
【００７１】
１：外箱、３：芯材、４：枠体、５：被覆材、８：収容空間、１０：部品箱、１１：側板、１２：底板、２１：第１の仕切部材、２２：第２の仕切部材、２５：仕切本体部、２６：連結用の可撓部、４１：コーナー部、４２：側板部、６１：面ファスナーの雄部材、６２：面ファスナーの雌部材、７１：面ファスナーの雄部材、７２：面ファスナーの雌部材、７３：スナップボタンの雌部材、７４：スナップボタンの雄部材。
【図１】
2014234210.tif 000003
【図２】
2014234210.tif 000004
【図３】
2014234210.tif 000005
【図４】
2014234210.tif 000006
【図５】
2014234210.tif 000007
【図６】
2014234210.tif 000008
【図７】
2014234210.tif 000009
【図８】
2014234210.tif 000010
【図９】
2014234210.tif 000011
【図１０】
2014234210.tif 000012
【図１１】
2014234210.tif 000013
【図１２】
2014234210.tif 000014
【図１３】
2014234210.tif 000015